(57)【要約】      （修正有）【課題】片手でも容易に展開可能なフィンガーフード用容器を提供する。【解決手段】折り曲げて組み立てることでカップ状の容器を構成する一枚のシートからなる容器であり、背面部１には折り上げ展開した際に背面部から斜行して前面側に左右に続く副背面部１１、１２を有し、前面部６には折り上げ展開した際に前面部から斜行して背面側に左右に続く副前面部１３、１４を有し、底面部３、４には折り上げた際に副背面部及び副前面部に副接続領域１５〜１８を介して左右に接続されるとともに底面部から容器上方に斜行する斜行底面部１９〜２２を有し、折り上げ展開される際に副背面部と副前面部の境界領域である指圧領域を左右から中心に向かって力を加える際に指圧領域から伝達される力が二つの力の作用点を結ぶ直線上では底面部に働かないようにする力線回避切込０３０８、０３０９を有する。【選択図】図３
0003210517.tif 000002
【実用新案登録請求の範囲】
【請求項１】
折り曲げて組み立てることで容器を構成するシートであって、
直列的に配列される背面部、
背面部と谷折りとなる第一折り目を介して隣接する背面部接続領域、
背面部接続領域と山折りとなる第二折り目を介して隣接する山折りとなる第三折り目を有する底面部、
底面部と山折りとなる第四折り目を介して隣接する前面部接続領域及び、
前面部接続領域と谷折りとなる第五折り目を介して隣接する前面部と、
前記前面部と前記背面部とをつなぐための接続部と、
からなるシートであって、
背面部には折り上げ展開した際に背面部から斜行して前面側に左右に続く副背面部を有し、
前面部には折り上げ展開した際に前面部から斜行して背面側に左右に続く副前面部を有し、
底面部には折り上げた際に副背面部及び副前面部に副接続領域を介して左右に接続されるとともに底面部から容器上方に斜行する斜行底面部を有し、
折り上げ展開される際に副背面部と副前面部の境界領域である指圧領域を左右方向から中心に向かって力を加える際に指圧領域から伝達される力が二つの力の作用点を結ぶ直線上では底面部に働かないように力線回避切込を有する
片手展開フィンガーフード用容器。
【請求項２】
力線回避切込は、底面部と斜行底面部との境界に設けられている請求項１に記載の片手展開フィンガーフード用容器。
【請求項３】
力線回避切込は、副接続領域と斜行底面部との境界に設けられている請求項１又は請求項２に記載の片手展開フィンガーフード用容器。
【考案の詳細な説明】
【技術分野】
【０００１】
本件考案は、コンビニエンスストアやファーストフード店などにおいて、フライドポテトやフランクフルト、唐揚げなどを販売するのに用いられる、紙製組立式立体容器に関する。
【背景技術】
【０００２】
ファーストフード店等で販売される指でつまんで食べるような食べ物（以下「フィンガーフード」という。）用容器については種々のものが存在する。このような容器は、シート状の状態から折り込まれ、糊付けされ、平折りとされた中間体の状態で店舗に納入される。店舗においては、商品の販売時にこれを展開し平折りからカップ状にすることで使用可能な状態とする。特許文献１では、一枚のシートからなり、使用時に平折り状態の中間体から展開可能なフィンガーフード用容器が開示されている。
【特許文献１】実用新案登録３１６１６６３号
【考案の開示】
【考案が解決しようとする課題】
【０００３】
ところが、従来の容器では図１０に示すように、片方の手の指で容器側面を押圧すると共に、容器内部で畳み込まれている底面部をもう片方の手の指で上方より押し下げることにより広げて展開する必要があり、片手に商品を持ちつつ容器を展開することはできなかった。このため中間体からの展開作業を一つ一つ販売の毎に行っていては時間が掛かってしまうため、販売を見越して展開した状態の複数の容器を店頭であらかじめ準備するといった場面が見られた。コンビニエンスストアのような比較的スペースが限られた店舗内で展開した容器を準備しておくことは店舗スペースの無駄使いにつながり望ましくない。また、底面部を押し下げる際に、商品が布置される底面に指が触れてしまうことで衛生上も望ましくない。そこで、販売時に片手で容器の側面を押圧することで容易に展開可能なフィンガーフード用容器の提供が課題となる。
【課題を解決するための手段】
【０００４】
以上の課題を解決するため、第一の考案では、中間体の状態から展開する際に片手で容易に展開可能とするために、底面部に力線回避切込を採用したフィンガーフード用容器を提供する。
【０００５】
具体的には、折り曲げて組み立てることで容器を構成するシートであって、直列的に配列される背面部、背面部と谷折りとなる第一折り目を介して隣接する背面部接続領域、背面部接続領域と山折りとなる第二折り目を介して隣接する山折りとなる第三折り目を有する底面部、底面部と山折りとなる第四折り目を介して隣接する前面部接続領域及び、前面部接続領域と谷折りとなる第五折り目を介して隣接する前面部と、前記前面部と前記背面部とをつなぐための接続部と、からなるシートであって、背面部には折り上げ展開した際に背面部から斜行して前面側に左右に続く副背面部を有し、前面部には折り上げ展開した際に前面部から斜行して背面側に左右に続く副前面部を有し、底面部には折り上げた際に副背面部及び副前面部に副接続領域を介して左右に接続されるとともに底面部から容器上方に斜行する斜行底面部を有し、折り上げ展開される際に副背面部と副前面部の境界領域である指圧領域を左右方向から中心に向かって力を加える際に指圧領域から伝達される力が二つの力の作用点を結ぶ直線上では底面部に働かないように力線回避切込を有する片手展開フィンガーフード用容器を提供する。
【０００６】
第二の考案は、第一の考案を具体化し、力線回避切込が、底面部と斜行底面部との境界に設けられている片手展開フィンガーフード用容器を提供する。
【０００７】
第三の考案は、第一の考案、あるいは第一の考案および第二の考案に基づいて、力線回避切込は、副接続領域と斜行底面部との境界に設けられている片手展開フィンガーフード用容器を提供する。
【考案の効果】
【０００８】
本件考案によれば、底面部に力線回避切込を採用することで、展開時に底面に掛かる力を一定方向に逃す事が可能となる。これにより、展開時の底面に起因する抵抗や容器の歪み等が減少し、展開が容易となる。片手で容器を展開することが可能となるため、商品を片手で持ちながらもう一方の片手で容器を展開することができる。このため商品販売時に中間体を展開して容器を生成することもでき、店頭にあらかじめ展開した状態の容器を準備するといったことが不要となる。
【考案を実施するための最良の形態】
【０００９】
以下に本件考案の実施例を説明する。なお、本考案はこの実施例に限定されるものではなく、その要旨を逸脱しない範囲において、種々なる態様で実施しうる。
≪実施例１≫
【００１０】
＜概要＞
図１は本実施例のフィンガーフード用容器の概要を説明するための図である。この図にあるように本実施例のフィンガーフード用容器は展開した状態ではカップ状の容器である。容器はカップ状の本体（０１０１）と本体背面に接続された蓋（０１０２）を有している。なお、本実施例のフィンガーフード用容器では、蓋は必須の構成要件ではなく、無くてもよい。
【００１１】
図２は本実施例のフィンガーフード用容器を展開する場面を示した図である。この図にあるように、平折状態の中間体である容器の前面になる部分（副前面部）と背面になる部分（副背面部）の境界部を矢印で示すように容器中央に向かって指で圧迫すると、密着していた前面部と背面部が離反し、離反する力で底面部が広がることによりカップ状に展開される。
【００１２】
＜構成＞
（フィンガーフード用容器の概要）
図３は、本実施例のフィンガーフード用容器の概念を説明するための展開図である。容器はこの図にあるように、一枚のシートを折り曲げ、接着することにより形成される。本容器は、それぞれが折り目にて区分けされ、背面部（１）と、背面部接続領域（２）と、背面部（３）（４）と、前面部接続領域（５）と、前面部（６）と、接続部（７）〜（１０）と、副背面部（１１）（１２）と、副前面部（１３）（１４）と、副接続領域（１５）〜（１８）と、斜行底面部（１９）〜（２２）と、からなる。
【００１３】
（各部の構成）
背面部（１）と、背面部接続領域（２）と、底面部（３）（４）と、前面部接続領域（５）と、前面部（６）とは直列的に配置される。前面部（６）と背面部（１）は接続部（７）〜（１０）により接続されている。具体的には、接続部（７）が副前面部（１３）に、接続部（８）が前面部（６）に、接続部（９）が副前面部（１４）に、接続部（１０）が、前面部（６）に接着剤等で接着されることにより接続される。背面部（１）は展開した際に背面部（１）から斜行して前面側に続く副背面部（１１）（１２）を有し、前面部（６）は展開した際に前面部（６）から斜行して背面側に続く副前面部（１３）（１４）を有する。なお、接続部（８）（１０）の部分は無くても良い。
【００１４】
図４は図３の底面部（３）（４）周辺を拡大した図である。背面部（１）は、商品納入時の平折りの状態にて谷折りとなる第一折り目（０４０１）を介して背面部接続領域（２）と隣接する。背面部接続領域（２）は、平折りの状態に折り上げる際に糊付けされ背面部（１）に接着される。背面部接続領域（２）は展開時に山折りとなる第二折り目（０４０２）を介して底面部（３）（４）と隣接する。底面部（３）（４）は領域（３）と領域（４）の境界で折り上げた際に山折りとなる第３折り目（０４０３）を有する。底面部（４）は展開時に山折りとなる第４折り目（０４０４）を介して前面部接続領域（５）と隣接する。前面部接続領域（５）は、折り上げた際に谷折りとなる第５折り目（０４０５）を介して前面部（６）と隣接する。底面部接続領域（５）は折り上げる際に糊付けされ前面部（６）に接着される。底面部（３）（４）は、斜行底面部（１９）〜（２２）と隣接する。斜行底面部（１９）〜（２２）は、副背面部（１１）（１２）及び副前面部（１３）（１４）に副接続領域（１５）〜（１８）を介して接続されるとともに展開された際に底面部（３）（４）から容器上方に斜行する。副接続領域（１５）〜（１８）は折り上げた際にそれぞれ副背面部（１１）と、副前面部（１３）と、副背面部（１２）と、副前面部（１４）とに糊付けされ接着される。斜行底面部（１９）と（２０）の境界、斜行底面部（２１）と（２２）の境界は第３折り目（０４０３）の延長線上にあるため山折りとなる。
【００１５】
背面部接続領域（２）と、前面部接続領域（５）と、副接続領域（１５）〜（１８）とは、展開時においては、それぞれ背面部（１）と、前面部（６）と、副背面部（１１）（１２）と副前面部（１３）（１４）とに接着され、底面部（３）（４）及び斜行底面部（１９）〜（２２）を上げ底するように折り込まれることで容器の脚部として機能する。
【００１６】
上記領域は折り目にて区分けされているが、各折り目には、折り曲げを容易にするため、エンボスあるいはミシン目加工、リード罫加工等を施してもよい。
【００１７】
（力線回避切込）
図３において、斜行底面部（１９）〜（２２）と底面部（３）（４）との境界には力線回避切込（０３０８）（０３０９）が配される。図４においては（０４０８）（０４０９）に示している。力線回避切込（０３０８）（０３０９）は、折り上げ展開される際に副背面部（１１）（１２）と副前面部（１３）（１４）の境界領域である指圧領域（０３０６）（０３０７）（０３０６´）（０３０７´）を左右方向から中心に向かって力を加える際に指圧領域（０３０６）（０３０７）（０３０６´）（０３０７´）から伝達される力が二つの力の作用点を結ぶ直線上では底面部（３）（４）に働かないように設けられる。
【００１８】
具体的には、図４に示す力線回避切込（０４０８）（０４０９）は、底面部（３）（４）と斜行底面部（１９）〜（２２）との境界（太線で示す）に設けられている態様であってよい。力線回避切込（０４０８）（０４０９）の延長線上の点線で示す部分はミシン目加工がされていても良い。
【００１９】
図５は容器上方より見たフィンガーフード用容器の概念図である。この図は容器を展開する際において左右方向から容器にかかる力を説明するための図である。まず図５（Ａ）は、容器が展開前の平折りの状態で、指圧領域（０５０１）（０５０２）から中央に向かって力を加えている状態を示している。この図にあるように、容器にかかる力は、力点となる指圧領域（０５０１）（０５０２）から中心に向かってほぼ直線的となっている。このとき、容器の前面（０５０３）と背面（０５０４）とが離反する方向に作用する力は微小である。図５（Ｂ）は、少し展開された状態の容器を上方より見た概念図である。この図にあるように、力点と同じ指圧領域（０５０５）（０５０６）に作用点をとった場合には、容器前面と背面のふちに沿った方向に斜めに力が作用している。図５（Ｃ）は図５（Ｂ）においてかかる斜め方向に作用する力を分解したものである。この図にあるように、斜め方向に作用する力は中心方向の力（０５０７）と、前面と背面が離反する方向の力（０５０８）とに分解できる。この場合、前者に対して後者は小さいものであることがわかる。
【００２０】
図６はフィンガーフード用容器を展開する際に容器上方から見た概念図であり、指圧領域から中心方向に指圧した場合における作用点の力を示すための図である。図６（Ａ）は、底面部の図に示す場所（０６０１）〜（０６０６）に作用する力を示している。作用点（０６０１）〜（０６０４）においては図に示すように容器のふちに沿った斜め方向の力が作用する。作用点（０６０５）（０６０６）は力点（０６０７）（０６０８）を結ぶ直線上に位置しているので、力点からの力をそのまま直線的に受け、容器中心方向に作用する。図６（Ｂ）は、作用点（０６０９）〜（０６１２）における力は容器中心方向とこれに垂直な、前面と背面が離反する方向との力に分解することができることを示している。この図に示すように、容器中心方向の力は前面と背面が離反する方向の力より大きい。すなわち、容器展開時において、容器中心方向の力が、底面を介して伝達することによって、前面と背面が離反する方向の力に対して大きな抵抗となり得ることを示すものである。図６（Ｃ）は底面に力線回避切込（０６１３）（０６１４）を設けたフィンガーフード用容器を示す概念図である。この図にあるように、力線回避切込（０６１３）（０６１４）を設けることにより容器底面に作用する容器中心方向の力が二つの力の作用点（０６１５）（０６１６）を結ぶ直線上では底面部に働かないように力線回避切込（０６１３）（０６１４）により逃されている。具体的には、展開時において容器中心方向の力を切込部分が変形することで受け止め、力を逃している状態となっている。このように容器中心方向の力が逃されることで、前面と背面が離反する方向の力が、容器中心方向への力に対して、切込を有さない場合よりも相対的に大きくなる。その結果、容器の展開を促進するという効果が生じ、片手でも容易に容器の展開が可能となる。
≪実施例２≫
【００２１】
実施例２に係るフィンガーフード用容器は、力線回避切込が副接続領域と斜行底面部との境界に設けられている。図７は本実施例のフィンガーフード用容器の展開図であり、力線回避切込の位置を示すための図である。この図に示すように力線回避切込が副接続領域（１５）と斜行底面部（１９）との間（０７０１）、副接続領域（１６）と斜行底面部（２０）との間（０７０２）、副接続領域（１７）と斜行底面部（２１）との間（０７０３）、副接続領域（１８）と斜行底面部（２２）との間（０７０４）にそれぞれ位置している。
【００２２】
図８は本実施例のフィンガーフード用容器の別の展開図であり、力線回避切込の別の態様を示すための図である。本実施例のフィンガーフード用容器は図７で示すように切欠きの態様であっても良いし、図８で示されるように切込の態様（０８０１）〜（０８０４）であっても良い。
【００２３】
図９は容器上方より見たフィンガーフード用容器の概念図である。この図は容器を展開する際において左右方向から容器に作用する力を説明するための概念図である。図９（Ａ）は、容器を展開した場合に容器のふちに存在する点（０９０１）〜（０９０４）に作用する力を図示したものである。当該部位においても図６（Ａ）と同様に容器前面側（０９０５）と背面側（０９０６）のふちに沿った方向に力が作用している。図９（Ｂ）に示すように、この力は図６（Ｂ）と同様に、容器中心方向の力と、前面と背面が離反する方向の力とに分解できる。図９（Ｃ）は、力線回避切込（０９０７）〜（０９１０）を採用した場合において、容器を展開したときに底面の力線回避切込の部位（０９１１）〜（０９１４）に作用する力を図示したものである。力線回避切込を設けることにより、指圧領域から伝達される力が二つの力の作用点（０９０７）〜（０９１０）を結ぶ直線上では底面部に働かないようになり、容器中央に向かう力の成分が逃されることによって弱まっている。このため、力線回避切込を採用しない場合に比べ、容器を展開する方向の力である前面（０９１５）と背面（０９１６）が離反する方向の成分の力が相対的に強くなり容器が展開されやすくなるといった効果が得られる。
【図面の簡単な説明】
【００２４】
【図１】実施例１のフィンガーフード用容器を組立後、斜め上から見た斜視図
【図２】実施例１のフィンガーフード用容器を展開する場面を示した図
【図３】実施例１のフィンガーフード用容器のシートの展開図
【図４】実施例１のフィンガーフード用容器の底面部近傍の展開図
【図５】実施例１のフィンガーフード用容器を上方より見た概念図
【図６】実施例１のフィンガーフード用容器を指圧領域から中心方向に指圧した場合における作用点の力を示すための概念図
【図７】実施例２のフィンガーフード用容器のシートの展開図
【図８】実施例２のフィンガーフード用容器のシートの別の展開図
【図９】実施例２のフィンガーフード用容器を展開する際において左右方向から容器にかかる力を説明するための概念図
【図１０】従来技術によるフィンガーフード用容器を展開する場面を示した図
【符号の説明】
【００２５】
０３０８、０３０９      力線回避切込
【図１】
0003210517.tif 000003
【図２】
0003210517.tif 000004
【図３】
0003210517.tif 000005
【図４】
0003210517.tif 000006
【図５】
0003210517.tif 000007
【図６】
0003210517.tif 000008
【図７】
0003210517.tif 000009
【図８】
0003210517.tif 000010
【図９】
0003210517.tif 000011
【図１０】
0003210517.tif 000012